(57)【要約】      （修正有）【課題】鍋本体の上縁部に係止可能な鍋蓋係止具を備えた鍋蓋であって、外観形状がシンプルで、洗浄作業を安全かつ短時間で行える鍋蓋係止具を備えた鍋蓋を提供する。【解決手段】鍋蓋４の外面に配設される摘み部５と、鍋蓋４の内面に配設される鍋蓋係止具１とを備えた鍋蓋４であって、鍋蓋係止具１の外周部は平面視において略円形であり、鍋本体２の上縁部３に係止可能とした鍋蓋係止具１を備えた鍋蓋４である。また、鍋蓋係止具１は基端部と先端部とから成り、基端部の外周径に較べて先端部の外周径が大きく、側面視においてハンドベル形状である。【選択図】図1
0003229086.tif 000002
【実用新案登録請求の範囲】
【請求項１】
鍋蓋の外面に配設される摘み部と、鍋蓋の内面に配設される鍋蓋係止具とを備えた鍋蓋であって、前記鍋蓋係止具の外周部は平面視において略円形であり、鍋本体の上縁部に係止可能としたことを特徴とする鍋蓋係止具を備えた鍋蓋。
【請求項２】
前記鍋蓋係止具は基端部と先端部とから成り、基端部の外周径に較べて先端部の外周径が大きいことを特徴とする請求項１記載の鍋蓋係止具を備えた鍋蓋。
【請求項３】
前記鍋蓋係止具は側面視においてハンドベル形状であることを特徴とする請求項１または請求項２記載の鍋蓋係止具を備えた鍋蓋。
【請求項４】
前記鍋蓋係止具は鍋蓋に対して着脱可能であることを特徴とする請求項１〜３のいずれか１項に記載の鍋蓋係止具を備えた鍋蓋。
【考案の詳細な説明】
【技術分野】
【０００１】
本考案は、鍋本体の上縁部に係止可能な鍋蓋係止具を備えた鍋蓋に関する。
【背景技術】
【０００２】
従来の鍋蓋では、加熱調理中や加熱調理完了後に、鍋本体から鍋蓋を取り外した場合、片手で鍋蓋の摘み部を保持したままか、調理台上に鍋蓋を置く必要があった。しかし、片手で鍋蓋の摘み部を保持したままでは、一時的に調理の出来具合を調べる場合はともかく、両手を使用することができないと、杓子等で調理内容物を掬ってお椀などに移すことは困難である。また、調理台上に鍋蓋を置く場合、調理台上に広いスペースが必要となるが、調理台上には他の調理器具や食材が置かれることが多く、鍋蓋を置くスペースが確保できないこともある。さらに、鍋蓋を調理台上に置くと調理台に煮汁などが流れ出して調理台が汚れることもある。
【０００３】
このような事情を考慮し、鍋蓋に取付けられている標準的な摘み部に替えて、特殊形状をした鍋蓋係止具または鍋蓋支持具を取り付けた鍋蓋が提案されている。（特許文献１、特許文献２参照）。
【０００４】
また、鍋蓋の摘み部にアーム状の支持部を接続した鍋蓋支持具付きの鍋蓋が提案されている（特許文献３参照）。
【０００５】
さらに、係止部を設けた板状の基材を鍋蓋の裏面中央に位置する摘子取付け部に止着し、鍋本体の上縁部に係止し得るようにした鍋蓋係止具を備えた鍋蓋が提案されている（特許文献４参照）。
【先行技術文献】
【特許文献】
【０００６】
【特許文献１】実用新案登録第３１３６０１４号公報
【特許文献２】実用新案登録第３１７０８３０号公報
【特許文献３】特開２００４−８９６３４号公報
【特許文献４】特開平１０−３０９２３５号公報
【考案の開示】
【考案が解決しようとする課題】
【０００７】
上記特許文献１や特許文献２に記載の鍋蓋においては、標準的な汎用の摘み部に替えて特殊形状をした鍋蓋係止具または鍋蓋支持具を用いる必要がある。特殊形状の鍋蓋係止具や鍋蓋支持具は量産性に乏しく、その製造コストが高くなるという問題があった。
【０００８】
特許文献３に記載の鍋蓋においては、鍋蓋の摘み部にアーム状の支持部を接続した鍋蓋支持具を用いることから、鍋蓋の着脱時に手の甲などがアーム先端部に接触することもあり安全面での不安があった。
【０００９】
特許文献４に記載の鍋蓋においては、係止部を設けた板状の基材が鍋蓋の内面に止着されるため、鍋蓋内面と基材との隙間に煮汁などが侵入し、鍋蓋の洗浄が容易でなかった。
【００１０】
調理終了後の鍋蓋の洗浄については、特許文献４に記載の鍋蓋に限らず、特許文献１〜３に記載の鍋蓋についても洗浄が容易でないという問題があった。すなわち、これらの鍋蓋に用いられる鍋蓋係止具や鍋蓋支持具の形状は、非対称な複雑形状とされている。そのため洗浄作業時において、洗浄スポンジ等の洗浄用具が鋭角部に引っ掛かることがある。また、切欠き等の凹部に付着した汚れを落とすのに時間を要するという問題があった。
【００１１】
そこで、本考案の考案者は、市販されている標準的な鍋蓋に対し容易に着脱でき、鍋本体の上縁部に係止可能な鍋蓋係止具を備えた鍋蓋を考案した。また、本考案は、外観形状がシンプルで、調理終了後の洗浄作業が安全かつ極めて容易である鍋蓋係止具を備えた鍋蓋を提供することを目的とする。
【課題を解決するための手段】
【００１２】
請求項１記載の考案は、鍋蓋の外面に配設される摘み部と、鍋蓋の内面に配設される鍋蓋係止具とを備えた鍋蓋であって、前記鍋蓋係止具の外周部は平面視において略円形であり、鍋本体の上縁部に係止可能としたことを特徴とする鍋蓋係止具を備えた鍋蓋である。
【００１３】
請求項２記載の考案は、請求項１記載の鍋蓋係止具を備えた鍋蓋において、前記鍋蓋係止具は基端部と先端部とから成り、基端部の外周径に較べて先端部の外周径が大きいことを特徴とする。
【００１４】
請求項３記載の考案は、請求項１または請求項２記載の鍋蓋係止具を備えた鍋蓋において、前記鍋蓋係止具は側面視においてハンドベル形状であることを特徴とする。
【００１５】
請求項４記載の考案は、請求項１〜３の何れか１項に記載の鍋蓋係止具を備えた鍋蓋において、前記鍋蓋係止具は鍋蓋に対して着脱可能であることを特徴とする。
【考案の効果】
【００１６】
本考案に係る鍋蓋係止具を備えた鍋蓋によれば、市販されている標準的な鍋蓋に対し、鍋蓋係止具を容易に着脱でき、鍋蓋を鍋本体の上縁部に簡単かつ確実に係止できる。また、本考案に係る鍋蓋係止具を備えた鍋蓋は、外観形状がシンプルで、洗浄作業を安全かつ短時間で行うことができる。
【図面の簡単な説明】
【００１７】
【図１】本考案の実施例を示す鍋蓋係止具を備えた鍋蓋の部分断面図である。
【図２】本考案の実施例を示す鍋蓋係止具を備えた鍋蓋の斜視図である。
【図３】実施例１を示す鍋蓋係止具の断面図である。
【図４】実施例２を示す鍋蓋係止具の断面図である。
【考案を実施するための形態】
【００１８】
本考案に係る鍋蓋係止具を備えた鍋蓋の実施の形態について、図１〜図４に基づいて説明する。図１は、本考案に係る鍋蓋係止具１を備えた鍋蓋を鍋本体２の上縁部３に係止した状態を示している。
【００１９】
図１および図２に示すように、鍋蓋４の外面には断熱性に優れた合成樹脂材料からなる摘み部５が配設され、鍋蓋４の内面には金属材料からなる鍋蓋係止具１が配設されている。鍋蓋４の外面に配設される摘み部５は、市販されている標準的な摘み部と異なるところはない。すなわち、市販されている既存の摘み部をそのまま使用することができる。
【００２０】
鍋蓋４の内面に配設される鍋蓋係止具１は、本考案の特徴的構成を備えている。図３は、実施例１としての鍋蓋係止具１の断面図である。この鍋蓋係止具１はプレス加工により、側面視においてハンドベル形状に形成されている。すなわち、鍋蓋係止具１の外周部は平面視において略円形とされている。また、鍋蓋係止具１は基端部６と先端部７とから成り、基端部６と先端部７との接続部８には段差が設けられ、基端部６の外周径に較べて先端部７の外周径は大きく形成されている。基端部６と先端部７との段差は、鋭角とならないよう緩やかな曲線で形成されている。また、基端部６の底面には取付孔９が設けられている。この取付孔９には、ねじ軸１１が挿通され、ねじ軸１１は鍋蓋４を挟んで摘み部５に設けられた雌ねじに螺合されている。
【００２１】
鍋蓋係止具１の寸法について重要なことは、基端部６の底面から接続部８までの寸法ｈと、鍋蓋係止具１が取り付けられる鍋蓋４の内面から鍋蓋４の開口端面までの寸法Ｈとの関係において、ｈ＞Ｈとなる条件が必要である。この条件を満たすことにより、鍋蓋４を鍋本体２の上縁部３に係止した際、鍋蓋全体として鍋本体２の外側に傾く方向の曲げモーメントが発生することになり、鍋蓋４を鍋本体２の上縁部３に確実に係止することが可能となる。
【００２２】
上述した鍋蓋係止具１によれば、鍋蓋係止具１の内外面とも略円形であることから、洗浄作業を容易かつ短時間で行うことができる。また、鍋蓋係止具１に鋭角部や突起部がないことから洗浄作業の安全性が確保できる。
【００２３】
図４は、実施例２を示す鍋蓋係止具１の断面図である。この鍋蓋係止具１は軽量で耐熱性に富む合成樹脂材料を用いて成型されている。鍋蓋係止具１の基端部６には凹部がなく、先端部７側にのみ浅い凹部１２が形成されている。このように凹部１２の形状を浅くすることで、鍋蓋係止具１の洗浄作業がより一層容易になる。また、軽量な合成樹脂材料を用いて成型されることから、鍋蓋全体としての重量を抑制できるため、洗浄作業の作業性が向上する。
【００２４】
以上、本考案に係る鍋蓋係止具を備えた鍋蓋の実施例について説明したが、本考案は上述した実施例に限定されるものではない。実施例では、側面視においてハンドベル形状である鍋蓋係止具について説明したが、鍋蓋係止具の側面視の形状はハンドベル形状に限らず、種々の形状を有するものであってもよい。また、鍋蓋係止具の具体的寸法については、鍋蓋の大きさに合わせて適宜決定することができる。なお、図１に示す鍋の形式はどのような形式の鍋であってもよく、例えば、片手鍋、両手鍋はもちろん、つるべのように取手が回動する鍋であってもよい。
【符号の説明】
【００２５】
１  鍋蓋係止具
２  鍋本体
３  上縁部
４，（１０）  鍋蓋
５  摘み部
６  基端部
７  先端部
【図１】
0003229086.tif 000003
【図２】
0003229086.tif 000004
【図３】
0003229086.tif 000005
【図４】
0003229086.tif 000006